(57)【特許請求の範囲】
【請求項１】
電圧源と接地電位とが接続されて、単電源で動作する増幅装置であって、
前記電圧源から供給される電源電圧に基づいて、負荷の負側入力端に供給するための基準電圧を生成する基準電圧生成部と、
前記電圧源から供給される電源電圧によって動作し、入力信号を増幅して、前記負荷の正側入力端に出力するアンプ回路と、
前記電圧源から供給される電源電圧に基づいて、通常前記基準電圧よりも電圧値が大きい第１閾値電圧と、通常前記基準電圧よりも電圧値が小さい第２閾値電圧とを生成する閾値電圧生成部と、
前記基準電圧と前記第１閾値電圧および前記第２閾値電圧とを比較し、前記基準電圧が前記第１閾値電圧以上である場合、又は、前記基準電圧が前記第２閾値電圧以下である場合に、前記アンプ回路からの出力電圧に直流電圧が含まれることを示す信号を出力し、前記基準電圧が前記第１閾値電圧よりも小さく、かつ、前記基準電圧が前記第２閾値電圧よりも大きい場合に、前記アンプ回路からの出力電圧に直流電圧が含まれないことを示す信号を出力する検出部とを備える、増幅装置。
【請求項２】
前記基準電圧が前記第１閾値電圧よりも小さく、かつ、前記基準電圧が前記第２閾値電圧よりも大きい場合に、前記検出部と前記閾値電圧生成部との間で電流が流れることを阻止する阻止部をさらに備える、請求項１に記載の増幅装置。
【請求項３】
前記基準電圧生成部が、前記電圧源に並列接続されている第１抵抗および第２抵抗の直列回路を含み、前記第１抵抗と前記第２抵抗との抵抗値が等しく設定され、前記第１抵抗と前記第２抵抗との接続点の電圧が前記基準電圧であり、
前記閾値電圧生成部が、前記電圧源に並列接続されている第３抵抗、第４抵抗および第５抵抗の直列回路を含み、前記第３抵抗と前記第４抵抗との接続点の電圧が前記第１閾値電圧であり、前記第４抵抗と前記第５抵抗との接続点の電圧が前記第２閾値電圧である、請求項１または２に記載の増幅装置。
【請求項４】
前記検出部が、
前記基準電圧が前記第１閾値電圧以上である場合にオン状態になり、前記基準電圧が前記第１閾値電圧よりも小さい場合にオフ状態になる第１トランジスタと、
前記第２閾値電圧が前記基準電圧以上である場合にオン状態になり、前記第２閾値電圧が前記基準電圧よりも小さい場合にオフ状態になる第２トランジスタとを含み、
前記第１トランジスタがオン状態、又は、前記第２トランジスタがオン状態のときに、前記アンプ回路からの出力電圧に直流電圧が含まれることを示す信号を出力し、
前記第１トランジスタがオフ状態、かつ、前記第２トランジスタがオフ状態のときに、前記アンプ回路からの出力電圧に直流電圧が含まれないことを示す信号を出力する、請求項１〜３のいずれかに記載の増幅装置。
【発明の詳細な説明】
【技術分野】
【０００１】
本発明は、増幅装置に関する。
【背景技術】
【０００２】
下記特許文献１には、アンプ回路の出力信号にスピーカーにとって不適切である直流電圧が含まれていることを検出し、検出信号を出力する検出回路を備えた増幅装置が記載されている。この増幅装置では、アンプ回路からスピーカーに出力される出力信号自体を検出回路が検出するので、検出回路がアンプ回路にとって負荷として機能してしまい、音質が劣化するという問題がある。
【先行技術文献】
【特許文献】
【０００３】
【特許文献１】特開２００６―６０２７８号公報
【特許文献２】特開２００８―２９４５６１号公報
【発明の概要】
【発明が解決しようとする課題】
【０００４】
本発明は上記従来の課題を解決するためになされたものであり、その目的は、アンプ回路から負荷に出力される出力信号に直流電圧が含まれていることを検出する検出部がアンプ回路にとって負荷として機能しない増幅装置を提供することである。
【課題を解決するための手段】
【０００５】
本発明の好ましい実施形態による増幅装置は、電圧源と接地電位とが接続されて、単電源で動作する増幅装置であって、前記電圧源から供給される電源電圧に基づいて、負荷の負側入力端に供給するための基準電圧を生成する基準電圧生成部と、前記電圧源から供給される電源電圧によって動作し、入力信号を増幅して、前記負荷の正側入力端に出力するアンプ回路と、前記電圧源から供給される電源電圧に基づいて、通常前記基準電圧よりも電圧値が大きい第１閾値電圧と、通常前記基準電圧よりも電圧値が小さい第２閾値電圧とを生成する閾値電圧生成部と、前記基準電圧と前記第１閾値電圧および前記第２閾値電圧とを比較し、前記基準電圧が前記第１閾値電圧以上である場合、又は、前記基準電圧が前記第２閾値電圧以下である場合に、前記アンプ回路からの出力電圧に直流電圧が含まれることを示す信号を出力し、前記基準電圧が前記第１閾値電圧よりも小さく、かつ、前記基準電圧が前記第２閾値電圧よりも大きい場合に、前記アンプ回路からの出力電圧に直流電圧が含まれないことを示す信号を出力する検出部とを備える。
【０００６】
アンプ回路からの出力電圧に正側の直流電圧が含まれる場合、電源電圧、負荷、基準電圧の順に電流が流れ続けることになり、その結果、基準電圧が増加して第１閾値電圧以上になる。検出部は、基準電圧が第１閾値電圧以上になったことを検出し、アンプ回路からの出力電圧に直流電圧が含まれることを示す信号を出力する。一方、アンプ回路からの出力電圧に負側の直流電圧が含まれる場合、基準電圧、負荷、接地電位の順に電流が流れ続けることになり、その結果、基準電圧が減少して第２閾値電圧以下になる。検出部は、基準電圧が第２閾値電圧以下になったことを検出し、アンプ回路からの出力電圧に直流電圧が含まれることを示す信号を出力する。以上のように、検出部は、アンプ回路から出力される出力電圧自体を検出しているのではなく、負荷の負側入力端に供給される基準電圧を検出しているので、検出部がアンプ回路にとって負荷になることがなく、アンプ回路の出力電圧の品質劣化が防止される。
【０００７】
好ましい実施形態においては、前記基準電圧が前記第１閾値電圧よりも小さく、かつ、前記基準電圧が前記第２閾値電圧よりも大きい場合に、前記検出部と前記閾値電圧生成部との間で電流が流れることを阻止する阻止部をさらに備える。
【０００８】
基準電圧が第１閾値電圧よりも小さく、かつ、基準電圧が第２閾値電圧よりも大きい場合、すなわち、アンプ回路の出力電圧に直流電圧が含まれない場合、検出部と閾値電圧生成部との間で電流が流れることが阻止されるので、第１閾値電圧および第２閾値電圧は所定の値に維持されている。従って、第１閾値電圧および第２閾値電圧が変動しないので、基準電圧の増減を正確に検出することができる。
【０００９】
好ましい実施形態においては、前記基準電圧生成部が、前記電圧源に並列接続されている第１抵抗および第２抵抗の直列回路を含み、前記第１抵抗と前記第２抵抗との抵抗値が等しく設定され、前記第１抵抗と前記第２抵抗との接続点の電圧が前記基準電圧であり、前記閾値電圧生成部が、前記電圧源に並列接続されている第３抵抗、第４抵抗および第５抵抗の直列回路を含み、前記第３抵抗と前記第４抵抗との接続点の電圧が前記第１閾値電圧であり、前記第４抵抗と前記第５抵抗との接続点の電圧が前記第２閾値電圧である。
【００１０】
このような構成を有することによって、通常、基準電圧が第１閾値電圧よりも小さく、第２閾値電圧よりも大きいという関係を設定することができる。
【００１１】
好ましい実施形態においては、前記検出部が、前記基準電圧が前記第１閾値電圧以上である場合にオン状態になり、前記基準電圧が前記第１閾値電圧よりも小さい場合にオフ状態になる第１トランジスタと、前記第２閾値電圧が前記基準電圧以上である場合にオン状態になり、前記第２閾値電圧が前記基準電圧よりも小さい場合にオフ状態になる第２トランジスタとを含み、前記第１トランジスタがオン状態、又は、前記第２トランジスタがオン状態のときに、前記アンプ回路からの出力電圧に直流電圧が含まれることを示す信号を出力し、前記第１トランジスタがオフ状態、かつ、前記第２トランジスタがオフ状態のときに、前記アンプ回路からの出力電圧に直流電圧が含まれないことを示す信号を出力する。
【発明の効果】
【００１２】
アンプ回路から負荷に出力される出力信号に直流電圧が含まれていることを検出する検出部がアンプ回路にとって負荷として機能しない増幅装置を提供することができる。
【図面の簡単な説明】
【００１３】
【図１】本発明の好ましい実施形態による増幅装置１を示す概略ブロック図である。
【図２】増幅装置１の電圧波形を示す図である。
【図３】増幅装置１の動作を示す図である。
【図４】増幅装置１の電圧波形を示す図である。
【図５】増幅装置１の動作を示す図である。
【図６】増幅装置１の電圧波形を示す図である。
【発明を実施するための形態】
【００１４】
以下、本発明の好ましい実施形態について、図面を参照して具体的に説明するが、本発明はこれらの実施形態には限定されない。図１は、本実施形態の増幅装置１を示す概略回路ブロック図である。増幅装置１は、電圧源Ｖ１と接地電位とが接続されて、単電源（片電源ともいう。）によって動作する。増幅装置１は、基準電圧生成部２と、アンプ部３と、閾値電圧生成部４と、検出部５とを備える。
【００１５】
基準電圧生成部２は、増幅装置１を動作するための基準電圧Ｖｃｏｍを生成する回路である。基準電圧Ｖｃｏｍは、負荷の一例であるスピーカーの負側入力端に供給され、かつ、信号源ＶＳＩＧの基準電位に供給される電圧である。
【００１６】
基準電圧生成部２は、抵抗Ｒ１、Ｒ２を含む。抵抗Ｒ１の一端は電圧源Ｖ１の正側に接続され、その他端は抵抗Ｒ２の一端に接続されている。抵抗Ｒ２の一端は抵抗Ｒ１の他端に接続され、その他端は電圧源Ｖ１の負側（かつ、接地電位）に接続されている。つまり、抵抗Ｒ１とＲ２との直列回路が電圧源Ｖ１に並列接続されている。抵抗Ｒ１と抵抗Ｒ２との接続点の電圧が基準電圧ＶＣＯＭであり、ＶＣＯＭ＝Ｒ２・Ｖ１／（Ｒ１＋Ｒ２）で表される。本例では、抵抗Ｒ１とＲ２との抵抗値が等しく設定されており、基準電圧ＶＣＯＭは、Ｖ１／２である。
【００１７】
基準電圧生成部２は、コンデンサＣ１、Ｃ２を含む。コンデンサＣ１の一端は電圧源Ｖ１の正側に接続され、その他端はコンデンサＣ２の一端に接続されている。コンデンサＣ２の一端はコンデンサＣ１の他端に接続され、その他端は電圧源Ｖ１の負側（かつ、接地電位）に接続されている。
【００１８】
アンプ部３は、信号源ＶＳＩＧから入力される入力交流信号（例えば、音声信号）を増幅して、負荷であるスピーカーＳＰの正側入力端に、増幅した音声信号を供給する。アンプ部３は、アンプ回路Ａ１を有する。アンプ回路Ａ１は、電源電圧Ｖ１と接地電位とに接続されており、電源電圧Ｖ１によって増幅動作する。上記の通り、信号源ＶＳＩＧの基準電位と、スピーカーＳＰの負側入力端には、基準電圧ＶＣＯＭが供給される。
【００１９】
閾値電圧生成部４は、電圧源Ｖ１から供給される電源電圧に基づいて、通常、基準電圧ＶＣＯＭよりも電圧値が大きい第１閾値電圧ＶＤＣ１と、通常、基準電圧ＶＣＯＭよりも電圧値が小さい第２閾値電圧ＶＤＣ２とを生成する。これらの閾値電圧は、検出部５がアンプ回路Ａ１の出力信号に直流電圧が含まれているか否かを検出するために使用される。
【００２０】
閾値電圧生成部４は、抵抗Ｒ３、Ｒ４、および、Ｒ５を含む。抵抗Ｒ３の一端は電圧源Ｖ１の正側に接続され、その他端は抵抗Ｒ４の一端に接続されている。抵抗Ｒ４の一端は抵抗Ｒ３の他端に接続され、その他端は抵抗Ｒ５の一端に接続されている。抵抗Ｒ５の一端は抵抗Ｒ４の他端に接続され、その他端は電圧源Ｖ１の負側（かつ、接地電位）に接続されている。つまり、抵抗Ｒ３、Ｒ４、および、Ｒ５の直列回路が電圧源Ｖ１に並列接続されている。
【００２１】
抵抗Ｒ３とＲ４との接続点の電圧が第１閾値電圧ＶＤＣ１であり、抵抗Ｒ４とＲ５との接続点の電圧が第２閾値電圧ＶＤＣ２である。つまり、ＶＤＣ１は、Ｖ１・（Ｒ４+Ｒ５）／（Ｒ３＋Ｒ４＋Ｒ５）であり、ＶＤＣ２は、Ｖ１・Ｒ５／（Ｒ３＋Ｒ４＋Ｒ５）である。本例では、抵抗Ｒ３、Ｒ４、および、Ｒ５の各抵抗値が等しく設定されているので、ＶＤＣ１＝２Ｖ１／３であり、ＶＤＣ２はＶ１／３である。従って、アンプ回路Ａ１の出力電圧に直流電圧が含まれない場合、つまり正常動作時には、第１閾値電圧ＶＤＣ１が基準電圧ＶＣＯＭよりも大きく、第２閾値電圧ＶＤＣ２が基準電圧ＶＣＯＭよりも小さくなっている。
【００２２】
検出部５は、アンプ回路Ａ１の出力電圧に直流電圧が含まれているか否かを検出する。つまり、アンプ回路Ａ１の出力電圧に正側の直流電圧が含まれているか、及び／又は、負側の直流電圧が含まれているかを検出する。直流電圧が含まれていることを検出した場合、検出部５は、アンプ回路Ａ１の出力電圧に直流電圧が含まれていることを示す検出信号（例えば、ローレベルの信号）を出力する。この信号は、例えば、図示しないマイコン等の制御部に供給され、制御部は、増幅装置１の動作を停止させる等のプロテクト処理を実行する。
【００２３】
検出部５は、アンプ回路Ａ１の出力電圧に直流電圧が含まれているか否かを、基準電圧ＶＣＯＭの電圧値を第１閾値電圧ＶＤＣ１、および、第２閾値電圧ＶＤＣ２と比較することによって検出する。アンプ回路Ａ１の出力電圧に正側の直流電圧が含まれる場合、基準電圧ＶＣＯＭが増加し、アンプ回路Ａ１の出力電圧に負側の直流電圧が含まれる場合、基準電圧ＶＣＯＭが減少する。従って、基準電圧ＶＣＯＭの増減を第１閾値電圧ＶＤＣ１、および、第２閾値電圧ＶＤＣ２と比較して判断することで、アンプ回路Ａ１の出力電圧に直流電圧が含まれるか否かを判断することができる。
【００２４】
検出部５は、基準電圧ＶＣＯＭが第１閾値電圧ＶＤＣ１以上である場合、又は、基準電圧ＶＣＯＭが第２閾値電圧ＶＤＣ２以下である場合に、アンプ回路Ａ１からの出力電圧に直流電圧が含まれることを示す信号を出力し、基準電圧ＶＣＯＭが第１閾値電圧ＶＤＣ１よりも小さく、かつ、基準電圧ＶＣＯＭが第２閾値電圧ＶＤＣ２よりも大きい場合に、アンプ回路Ａ１からの出力電圧に直流電圧が含まれないことを示す信号を出力する。
【００２５】
検出部５は、トランジスタ（例えばｎｐｎ型のバイポーラトランジスタ）Ｑ１、Ｑ２と、抵抗Ｒ６、Ｒ７と、ダイオードＤ１とを含む。トランジスタＱ２のベースはダイオードＤ１のカソードに接続され、そのエミッタには基準電圧ＶＣＯＭが供給され、そのコレクタはトランジスタＱ１のコレクタと抵抗Ｒ７の一端と検出部５の出力端子ＯＵＴとに接続されている。ダイオードＤ１のアノードには第２閾値電圧ＶＤＣ２が供給される。トランジスタＱ１のベースは、ダイオードＤ１のカソードと抵抗Ｒ６の一端と、トランジスタＱ２のベースとに接続され、そのエミッタには第１閾値電圧ＶＤＣ１が供給され、そのコレクタはトランジスタＱ２のコレクタと抵抗Ｒ７の一端と検出部５の出力端子ＯＵＴとに接続されている。抵抗Ｒ７の他端は、電圧源Ｖ１の正側に接続されている。抵抗Ｒ６の他端には基準電圧ＶＣＯＭが供給されている。コンデンサＣ３の一端はダイオードＤ１のカソードとトランジスタＱ１のベースとトランジスタＱ２のベースとに接続され、その他端には基準電圧ＶＣＯＭが供給されている。
【００２６】
トランジスタＱ１は、基準電圧ＶＣＯＭが第１閾値電圧ＶＤＣ１以上であるか否か検出することで、アンプ回路Ａ１の出力電圧に正側の直流電圧が含まれるか否かを検出する。より詳細には、第１閾値電圧ＶＤＣ１は、抵抗Ｒ３とＲ４との接続点の電圧にトランジスタＱ１の導通開始電圧０．６Ｖを加えた電圧値である。トランジスタＱ２は、第２閾値電圧ＶＤＣ２が基準電圧ＶＣＯＭ以上であるか否か検出することで、アンプ回路Ａ１の出力電圧に負側の直流電圧が含まれるか否かを検出する。
【００２７】
検出部５は、基準電圧ＶＣＯＭが第１閾値電圧ＶＤＣ１よりも小さく、かつ、基準電圧ＶＣＯＭが第２閾値電圧ＶＤＣ２よりも大きい場合に、検出部５と閾値電圧生成部４との間で電流が流れることを阻止する阻止部を含む。阻止部は、例えば、ダイオードＤ１、および、トランジスタＱ１のベース−エミッタ間に形成されるダイオードを含む。なお、抵抗Ｒ３とＲ４との接続点と、トランジスタＱ１のエミッタとの間にさらにダイオード（アノードがトランジスタＱ１のエミッタに接続される）が設けられてもよい。
【００２８】
以上の構成を有する増幅装置１についてその動作を説明する。
［アンプ回路Ａ１の出力電圧に直流電圧が含まれない場合（通常状態）］
アンプ回路Ａ１の出力電圧に直流電圧が含まれていないので、図２に示すように、基準電圧ＶＣＯＭは、増減しておらず、第１閾値電圧ＶＤＣ１よりも小さく、第２閾値電圧ＶＤＣ２よりも大きくなっている。つまり、基準電圧ＶＣＯＭは、Ｒ２・Ｖ１／（Ｒ１＋Ｒ２）＝Ｖ１／２の状態を維持している。
【００２９】
従って、トランジスタＱ１に関して、ベースに供給される基準電圧ＶＣＯＭがエミッタに供給される第１閾値電圧ＶＤＣ１よりも小さいので、トランジスタＱ１はオフ状態である。つまり、アンプ回路Ａ１からの出力電圧に正側の直流電圧が含まれていないことがトランジスタＱ１によって検出されている。
【００３０】
トランジスタＱ２に関して、ベースに供給される第２閾値電圧ＶＤＣ２が、エミッタに供給される基準電圧ＶＣＯＭよりも小さいので、トランジスタＱ２はオフ状態である。つまり、アンプ回路Ａ１からの出力電圧に負側の直流電圧が含まれていないことがトランジスタＱ２によって検出されている。
【００３１】
トランジスタＱ１、Ｑ２がオフ状態であるので、検出部５の出力端子ＯＵＴからは、マイコンにおいてハイレベルの信号と判断される電源電圧Ｖ１が出力される。つまり、アンプ回路Ａ１の出力電圧に直流電圧が含まれていないことを示す検出信号が出力される。
【００３２】
［アンプ回路Ａ１の出力電圧に正側の直流電圧が含まれている場合］
アンプ回路Ａ１の出力電圧に正側の直流電圧が含まれている場合、図３に示すように、矢印Ｘで示す経路で電流が流れ続けることになる。つまり、スピーカーの正側入力端から、スピーカーの負側入力端、ＶＣＯＭの電圧ライン、コンデンサＣ１、電源電圧Ｖ１の電圧ライン、アンプ回路Ａ１、スピーカーの正側入力端の経路で電流が流れ続ける。従って、抵抗Ｒ１に対して並列に抵抗が接続されている回路構成と等価になり、基準電圧ＶＣＯＭがＲ２・Ｖ１／（Ｒ１＋Ｒ２）＝Ｖ１／２から増加する。つまり、図４に示すように、基準電圧ＶＣＯＭは、時刻ｔ１において、第１閾値電圧ＶＤＣ１以上になる。
【００３３】
従って、トランジスタＱ１に関して、ベースに供給される基準電圧ＶＣＯＭがエミッタに供給される第１閾値電圧ＶＤＣ１以上であるので、トランジスタＱ１はオン状態になる。つまり、アンプ回路Ａ１からの出力電圧に正側の直流電圧が含まれていることがトランジスタＱ１によって検出される。トランジスタＱ１がオン状態であるので、検出部５の出力端子ＯＵＴからは、マイコンにおいてローレベルの信号と判断される第１閾値電圧ＶＤＣ１が出力される。つまり、アンプ回路Ａ１の出力電圧に直流電圧が含まれていることを示す検出信号が出力される。これに応じて、マイコンは、増幅装置１の動作を停止させる等のプロテクト処理を実行する。
【００３４】
なお、トランジスタＱ２に関しては、ベースに供給される第２閾値電圧ＶＤＣ２が、エミッタに供給される基準電圧ＶＣＯＭよりも小さいので、トランジスタＱ２はオフ状態である。つまり、アンプ回路Ａ１からの出力電圧に負側の直流電圧が含まれていないことがトランジスタＱ２によって検出されている。
【００３５】
［アンプ回路Ａ１の出力電圧に負側の直流電圧が含まれている場合］
アンプ回路Ａ１の出力電圧に負側の直流電圧が含まれている場合、図５に示すように、矢印Ｙで示す経路で電流が流れ続けることになる。つまり、基準電位Ｖｃｏｍから、スピーカーの負側入力端、スピーカーの正側入力端、アンプ回路Ａ１、接地電位のライン、コンデンサＣ２、ＶＣＯＭの電圧ライン、スピーカーの負側入力端の経路で電流が流れ続ける。従って、抵抗Ｒ２に対して並列に抵抗が接続されている回路構成と等価になり、基準電圧ＶＣＯＭがＲ２・Ｖ１／（Ｒ１＋Ｒ２）＝Ｖ１／２から減少する。つまり、図６に示すように、基準電圧ＶＣＯＭは、時刻ｔ２において、第２閾値電圧ＶＤＣ２未満になる。
【００３６】
従って、トランジスタＱ２に関して、ベースに供給される第２閾値電圧ＶＤＣ２が、エミッタに供給される基準電圧ＶＣＯＭ以上になるので、トランジスタＱ２はオン状態になる。つまり、アンプ回路Ａ１からの出力電圧に負側の直流電圧が含まれていることがトランジスタＱ２によって検出される。トランジスタＱ２がオン状態であるので、検出部５の出力端子ＯＵＴからは、マイコンにおいてローレベルの信号と判断される基準電圧ＶＣＯＭが出力されるようになる。つまり、アンプ回路Ａ１の出力電圧に直流電圧が含まれていることを示す検出信号が出力される。これに応じて、マイコンは、増幅装置１の動作を停止させる等のプロテクト処理を実行する。
【００３７】
なお、トランジスタＱ１に関しては、ベースに供給される基準電圧ＶＣＯＭがエミッタに供給される第１閾値電圧ＶＤＣ１よりも小さいので、トランジスタＱ１はオフ状態である。つまり、アンプ回路Ａ１からの出力電圧に正側の直流電圧が含まれていないことがトランジスタＱ１によって検出されている。
【００３８】
以下、増幅装置１による効果について説明する。
検出部５がアンプ回路Ａ１の出力端（つまり、スピーカーの正側入力端）に接続されておらず、基準電圧ＶＣＯＭの電圧ライン（つまり、スピーカーの負側入力端）に接続されている。従って、検出部５がアンプ回路Ａ１の負荷として機能しないので、アンプ回路Ａ１から出力される出力音声信号の音質が悪化することが防止される。
【００３９】
さらに、検出部５がアンプ回路Ａ１の出力端に接続されておらず、基準電圧ＶＣＯＭの電圧ラインに接続されていることで、複数チャンネルのアンプ（例えば左チャンネル音声信号用のアンプ、及び、右チャンネル音声信号用のアンプ）で共通で検出部５を使用する場合であっても、１つのチャンネルのアンプ回路から出力される音声信号の電流が、他のチャンネルのアンプ回路に逆流し、ノイズが発生することはない。
【００４０】
また、ダイオードＤ１が設けられているので、アンプ回路Ａ１の出力電圧に直流電圧が含まれておらず、基準電圧ＶＣＯＭが第２閾値電圧ＶＤＣ２よりも大きいときには、基準電圧ＶＣＯＭの電圧ラインから抵抗Ｒ６、ダイオードＤ１を介して閾値電圧生成部４（抵抗Ｒ４とＲ５との接続点）に電流が流れることが阻止される。同じく、トランジスタＱ２のベース−エミッタ間に形成されるダイオードによって、アンプ回路Ａ１の出力電圧に直流電圧が含まれておらず、基準電圧ＶＣＯＭが第１閾値電圧ＶＤＣ１よりも小さいときには、閾値電圧生成部４の抵抗Ｒ３とＲ４との接続点から、トランジスタＱ１、抵抗Ｒ６を介して、基準電圧ＶＣＯＭの電圧ラインに電流が流れることが阻止される。
【００４１】
従って、アンプ回路Ａ１の出力電圧に直流電圧が含まれていないときには、閾値電圧生成部４と検出部５とは電流的に分離されており、その結果、第１閾値電圧ＶＤＣ１および第２閾値電圧ＶＤＣ２は所定の電圧値に維持されている。その結果、アンプ回路Ａ１の出力電圧に直流電圧が含まれ、基準電圧ＶＣＯＭが増加又は減少するようになると、基準電圧ＶＣＯＭが増加又は減少したことを確実に検出することができる。
【００４２】
また、アンプ回路Ａ１の出力電圧に直流電圧が含まれていないときに、閾値電圧生成部４と検出部５とが電流的に分離されることによって、検出部５の影響によってアンプ回路Ａ１の出力信号の音質を悪化させることを防止できる。
【００４３】
以上、本発明の好ましい実施形態について説明したが、本発明はこれらの実施形態には限定されない。検出部５のトランジスタの極性は、出力端子ＯＵＴから出力される検出信号がハイベルの場合に直流電圧が含まれていることを示す信号とするか、ローベルの場合に直流電圧が含まれていることを示す信号とするかによって適宜変更され得る。
【産業上の利用可能性】
【００４４】
本発明は、例えばオーディオ用のアンプに好適に採用され得る。
【符号の説明】
【００４５】
１        増幅装置
２        基準電圧生成部
３        アンプ部
４        閾値電圧生成部
５        検出部
【図１】
0005206763.tif 000002
【図２】
0005206763.tif 000003
【図３】
0005206763.tif 000004
【図４】
0005206763.tif 000005
【図５】
0005206763.tif 000006
【図６】
0005206763.tif 000007